Podtech/llm-jp-corpus-v4-ja_patent huggingface dataset:
(57)【要約】【課題】  植木の刈り込み作業により切り落とした枝葉を受けるゴミ収集シートにより、植木刈り込み作業を早く簡単にできることを目的とする。【解決手段】  方形状のゴム材、あるいはビニール材からなるシートの一つの側辺中央からシートの中心部へ向けて直線状の切り込みを設け、切り込みの先端は十字状に交差する十字状切り込みを設け、中心部に位置する十字状の切り込みは周囲に三角形状のめくれ片が形成され、直線状の切り込みの両側のシートにそれぞれ面ファスナーを設け、面ファスナーを着脱することにより切り込みは開閉自在とした植木の刈り込み用ゴミ収集シート。【選択図】図２
2014100695.tif 000002
【特許請求の範囲】
【請求項１】
方形状のゴム材、あるいはビニール材からなるシート（１）の一つの側辺中央からシートの中心部へ向けて直線状の切り込み（２）を設け、切り込みの先端は十字状に交差する十字状切り込み（３）を設け、中心部に位置する十字状の切り込み（３）は周囲に三角形状のめくれ片（４ａ）、（４ｂ）、（４ｃ）、（４ｄ）が形成され、直線状の切り込みの両側のシートにそれぞれ面ファスナー（５）を設け、面ファスナーを着脱することにより切り込みは開閉自在とした植木の刈り込み用ゴミ収集シート。
【発明の詳細な説明】
【技術分野】
【０００１】  この発明は植木の剪定、刈り込みにより下方へ落下した木の葉、および小枝のゴミを簡単に収集する植木の刈り込み用ゴミ収集シートに関するものである。
【背景技術】
【０００２】  従来の植木の刈り込みは方形状のシートを植木の周囲に敷きつめて、刈り取った枝葉をシートに受けていた。
しかし、シートを広げても、シートは四角形、または長方形のため、植木の枝が幹を中心に３６０度四方に伸びているため、根本が障害になり、半分以下にしか地面に敷くことができなかった。
全部の枝下に敷くには２枚以上のシートが必要だった。
ところが、手間が掛かるためシートも敷かず、刈り込んで散乱させたゴミを熊手や箒を使って掃除をしていた。
【発明の概要】
【発明が解決しようとする課題】
【０００３】  そのために、次のような問題点がある。
（イ）刈り込みをして散乱させたゴミを熊手や箒を使って掃除をしていた。
そのため、手間と時間がかかった。
（ロ）刈り込みをする植木の枝下にある地被植物（芝生、サツキ）などの中に散乱したゴ    ミは掃除が困難で面倒であった。
（ハ）松葉、ヒバ類など細かい葉ほど掃除が困難で、石組の間に落ちたゴミは小さな熊手    または、手で掴み出さなければ綺麗にならなかった。
本発明は、これらの問題点を解決するためになされたものである。
【課題を解決するための手段】
【０００４】  方形状のゴム材、あるいはビニール材からなるシート（１）の一つの側辺中央からシートの中心部へ向けて直線状の切り込み（２）を設け、切り込みの先端は十字状に交差する十字状切り込み（３）を設け、中心部に位置する十字状の切り込み（３）は周囲に三角形状のめくれ片が形成され、直線状の切り込みの両側のシートにそれぞれ面ファスナー（５）を設け、面ファスナーを着脱することにより切り込みは開閉自在とした植木の刈り込み用ゴミ収集シート。
【発明の効果】
【０００５】  刈り込む植木の枝下にある地被植物の芝生、サツキ、または玉砂利、小石を敷き詰めた庭園、大きな石組の上にも本発明のシートを広げて使用すれば、刈り込んだゴミは全部シート上に落下するので収集が簡単である。
シート上に散乱した大量のゴミは熊手等で集め、籠に入れて片付け、残ったゴミは、シートの外側を持って包み込んでしまえば軽量のため、そのまま処理でき、掃除の効果は従来の数倍の早さでできる。
手間がかからないので人件費まで削減することもできる。
【図面の簡単な説明】
【０００６】
【図１】  本発明の斜視図である。
【図２】  本発明の使用状態を示した斜視図である。
【図３】  本発明の面ファスナー取り付け部分の拡大斜視図である。
【図４】  本発明のシートが根本を被う拡大斜視図である。
【発明を実施するための形態】
【０００７】  以下、本発明の実施の形態について説明する。
（イ）正方形、または長方形のゴム材、あるいはビニール材からなるシート（１）の一つ    の側辺中央からシート（１）の中心部へ向けて直線状の切り込み（２）を設ける。
（ロ）切り込み（２）の先端は十字状に交差する十字状切り込み（３）を設ける。
（ハ）シート（１）の中心部に位置する十字状の切り込み（３）は、三角形状のめくれ片    （４ａ）、（４ｂ）、（４ｃ）、（４ｄ）が形成される。
（ニ）直線状の切り込み（２）の両側のシート（１）に、それぞれ面ファスナー（５ａ）    、（５ｂ）を設け、面ファスナー（５ａ）、（５ｂ）を着脱することにより切り込み    （２）は付着自在とする。
本発明は以上のような構造で、これを使用するときは、刈り込みをしようとする植木の根本（６）に切り込み（２）で左右に分かれたシート（１）を広げて植木の根本（６）を挟み、三角形状のめくれ片（４ａ）、（４ｂ）、（４ｃ）、（４ｄ）が根本（６）に密着するまで敷き込む。
そして、両端に取り着けた面ファスナー（５ａ）、（５ｂ）で付着させ植木がシート（１）の最中を突き破った状態にする。
十字切り込み（３）の三角形状のめくれ片（４ａ）、（４ｂ）、（４ｃ）、（４ｄ）が植木に適応して根本を塞ぎ、隙き間はなくなり、ゴミの収集には最適である。
【符号の説明】
【０００８】    １  シート
２  切り込み
３  十字切り込み
４  めくれ片
５  面ファスナー
６  根本
【図１】
2014100695.tif 000003
【図２】
2014100695.tif 000004
【図３】
2014100695.tif 000005
【図４】
2014100695.tif 000006
(57)【要約】      （修正有）【課題】爆発膨張による短時間に発生する強大なエネルギーを、スプリングにより一時的に緩衝して貯えることにより、発生するストレスの低減と貯えたエネルギーの放出により燃焼効率を上げる。【解決手段】自動車などに使用されるエンジンの、密閉されたシリンダー内において燃料を燃焼爆発させ、発生する膨張エネルギーを、同じくシリンダー内に配置されたピストンの押し下げ力に変え、コネクティングロッドを介してクランクシャフトに伝達し、垂直エネルギーを回転エネルギーに変換して動力を取り出す構造において、クランクアームとジャーナルは同軸上で摺動する構造にし、このクランクアームとジャーナルの間にスプリングを介して接続する構造とし、爆発膨張により短時間に発生する強大なエネルギーを、このスプリングにより一時的に吸収し貯える事により、発生するストレスを減少させるもの。【選択図】図１
2014173654.tif 000002
【特許請求の範囲】
【請求項１】
クランクアームとクランクジャーナルは一体構造とせず夫々同軸上で摺動回転構造とする衝撃吸収・エネルギー蓄積クランクシャフト。
【請求項２】
クランクジャーナルに巻き付ける構造のスプリングを設け、スプリングの一端はクランクジャーナルに固定し、反対側の一端はクランクアームに接する構造を持つ衝撃吸収・エネルギー蓄積クランクシャフト。
【発明の詳細な説明】
【技術分野】
【０００１】
本発明は、内燃機関のクランクシャフトにおいて、衝撃吸収及びエネルギー蓄積を行うことにより燃焼効率を高める構造に関する。
【背景技術】
【０００２】
内燃機関は、密閉されたシリンダー内において燃料を燃焼爆発させ、発生する膨張エネルギーを、同じくシリンダー内に配置されたピストンの押し下げ力に変え、コネクティングロッドを介してクランクシャフトに伝達し、垂直エネルギーを回転エネルギーに変換して動力を取り出している。
【０００３】
爆発膨張エネルギーによりピストンは押し下げられるが、押し下げられるにつれて急速にそのエネルギーは減衰してゼロになり、4サイクルエンジンの場合、爆発膨張行程に引き続いて排気行程、吸入行程、圧縮行程を経て再び爆発膨張行程になるまでエネルギーは取り出せない。
【０００４】
ピストンの上下動によるエネルギーは、クランクシャフトにより回転エネルギーに変換されるが、その回転エネルギーは[０００３]で述べるように一定でないため脈動する。
【発明の概要】
【発明が解決しようとする課題】
【０００５】
内燃機関の、シリンダー内で燃料が燃焼爆発するエネルギーは、極めて短時間に発生し、強大であるため、ピストン、コネクティングロッド及びクランクシャフト機構には大きなストレスが掛かり、このストレスにより振動が発生するが、この振動はピストンの上下動エネルギーとは別に、音と熱のエネルギーに変るためロスとになり、結果として燃焼効率を下げる。
【０００６】
クランクシャフトの機構は、短時間に発生する爆発膨張する強大なエネルギーとストレスに耐え、破損から守るために材質や剛性を高める工夫が必用であり、材料費及び加工費増加によるコスト増加、及び質量増加による運動エネルギーロスが発生する。
【課題を解決するための手段】
【０００７】
本発明は、クランクシャフトにおいて、図１の通りクランクジャーナルとクランクアームを一体構造とせず、夫々は同軸上で別々に可動する構造とし、新たに設けるスプリングによりジャーナル部とクランクアームに接続する構造を特徴とする。
【０００８】
爆発膨張によるエネルギーはピストンを押し下げ、コネクティングロッドを介してクランクアームに伝わり、スプリングの巻き上げを行いながらジャーナルの回転力になる。
【発明の効果】
【０００９】
クランクアームとクランクジャーナルとの間に置かれたスプリングは、爆発膨張行程の開始時の急激で強大なエネルギーを一時的にスプリングの巻き上げ力として蓄えるため、振動や騒音の低下が図られ、エネルギーロスの少ないクランクシャフトを提供できる。
【００１０】
スプリングに蓄えられたエネルギーは、図２に示すようにピストンが下死点に向かうに連れ、スプリングに蓄えられたエネルギーが放出されることにより、クランクシャフトの回転力は平滑化され脈動が軽減される。
【００１１】
クランクシャフトの回転力が平滑化されることにより、バランスウエイトやカウンターウエイトなどの振動対策が不要となり、構造の単純化と軽量化が図れる。
【図面の簡単な説明】
【００１２】
【図１】は発明の構造図である。
【図２】は爆発膨張するピストンの上下動エネルギーの推移を示す。
【発明を実施するための形態】
【００１３】
クランクアームとクランクジャーナルは一体とせず、夫々が同軸上で摺動回転構造とする。
【００１４】
クランクアームは、クランクジャーナルに対して正回転方向に一定の角度まで回り、逆回転方向には回らないようにストッパーを設けた構造とする。
【００１５】
クランクアームとクランクジャーナルは図１に示すスプリングを介して接続する。
【００１６】
スプリングの片側端はクランクジャーナル部に固定し、反対端はクランクアームに可動構造で取り付ける。
【図１】
2014173654.tif 000003
【図２】
2014173654.tif 000004
(57)【要約】【課題】お墓の花立器を使用時に、水不足ですぐにしおれることを取り除く、お墓の花立器を提供する。【解決手段】開口部より、ビンに水を入れ、花を生け、プラスチックの日影用囲いを設け、花が長持ちする事を特徴とするお墓の花立具。【選択図】図１
2014173421.tif 000002
【特許請求の範囲】
【請求項１】
ビンの上部に開口部を設け、開口部の下を細くしビンの横に取っ手を設け、夏のあつさに、日影とする四角い箱にビンを取り囲うことを特徴とする、お墓の花立器
【発明の詳細な説明】
【技術分野】
【０００１】本発明は、墓前で花を生ける時に、花立器が小さく水が少なく、すぐに花がしなだれてしまう。それを取り除くための、お墓の花立器に関するものである。
【背景技術】
【０００２】従来、お墓の花立器を使用した時、花立器が小さく花を生けた時、水があふれ、水がないにひとしく、花立器の約目をはたしていなかった。夏のあつい時、数時間で水分がなくなり、しなだれてしまっていた。
【発明の開示】
【発明が解決しようとする課題】
【０００３】そのために、次のような問題点があった。
基存のステンレスの花立器で、大小ほとんど変りなく、堀込んだ石の中にはめ込むだけで、手のほどこしようがない。小さい花立器で花の命が大事なおぼんに、１、２時間でしおれ、交率が悪かった。
本発明は、以上の問題点を解決しようとするものである。
【課題を解決するための手段】
【０００４】大きいガラスビン上部に花を生ける開口部を設け、水を入れた時、持ちいいように左に取手を設ける。夏、あつい時水があつくならないように、四角いプラスチック、又は板等でガラス
2014173421.tif 000003
【発明の効果】
【０００５】本発明は、大きい花立器に花を生け、水もたっぷり日影もあり、花のしおれるわずらわしさがない。
【発明を実施するための最良の形態】
【０００６】以下、本発明の実施の形態を説明する
2014173421.tif 000004
【図面の簡単な説明】
【０００７】
【図１】本発明の斜視図
【図２】本発明の分解斜視図
【図３】本発明の使用状態を示す斜視図
【符号の説明】
【０００８】１  ガラスビン
２  開口部
３  取手
４  プラスチック囲い
【図１】
2014173421.tif 000005
【図２】
2014173421.tif 000006
【図３】
2014173421.tif 000007
(57)【要約】【課題】従来の補助鍵の欠点を補うものであり、ドアクローザーの屈曲部を頑丈な輪で簡易に固定することでドアの開閉を出来なくした防犯器具を提供する。【解決の手段】本発明の器具（２）には、輪部（ａ）、持ち手となる棒部（ｂ）、フック（ｃ）を設ける。輪部（ａ）の内側にはシリコン等柔軟性のある素材（ａ−１）を貼り付けても良い。本発明の器具は以上のような構造である。ドアが閉まっている状態のドアクローザー屈曲部に器具（２）の棒部（ｂ）を持って輪部（ａ）を取り付けることで設置する。フック（ｃ）は本発明の器具（２）を使用しないときにドア周辺（又はドア）に掛けて保管する際に使用する。【選択図】図１
2014173420.tif 000002
【特許請求の範囲】
【請求項１】
ドア及びドア枠に取り付けられているドアクローザーを動かないよう固定することで防犯効果が得られる防犯器具。
【請求項２】
ドアクローザーの屈曲部を頑丈な輪部（鋼製など）により固定することを特徴とする防犯器具。
【請求項３】
ドアクローザーへの輪部の取り付けを、棒部を設けることにより容易にしたことを特徴とする防犯器具。
【発明の詳細な説明】
【技術分野】
【０００１】この発明は、ドアクローザーを固定して防犯機能を持たせる器具に関するものである。
【背景技術】
【０００２】従来は、補助鍵としてバーロックやチェーンロックが知られているがドアクローザーを固定する補助鍵はなかった。
【先行技術文献】
【特許文献】
【０００３】
【特許文献１】特開２００２−３８８０５
【発明の概要】
【発明が解決しようとする課題】
【０００４】従来より、玄関ドア等の補助鍵としては、バーロックやチェーンロックなどが知られているが、これらはチェーンカッター等を用いれば容易に切断されることから防犯効果が絶対ではなかった。
特許文献（特開２００２−３８８０５）ではこれらの欠点を補うべくドアクローザーの屈曲部を輪（頑丈な材質、たとえば鋼製など、形状は円、楕円、四角など）をはめ込むことでドアの開閉を出来なくした。
しかしながら、ドアクローザーはドアの上部に設置されており、特許文献（特開２００２−３８８０５）の器具では、輪をはめ込むことが困難であった。
本発明では更にこの欠点を補うべく、発明されたものであり器具を容易にドアクローザーに設置できるように改良されたものである。
【課題を解決するための手段】
【０００５】ドアクローザー（１）に器具（２）の輪部を取り付けてドアクローザーを固定する。
器具（２）には持ち手を備え付け、輪部のドアクローザーへの取り付けを容易にした。
器具（２）は、輪部（ａ）、持ち手となる棒部（ｂ）、フック（ｃ）を設ける。
輪部（ａ）の内側にはシリコン等柔軟性のある素材（ａ−１）を貼り付けても良い。
本発明は、以上からなる「ドアクローザーを固定して防犯機能を持たせる器具」である。
【発明の効果】
【０００６】本発明の器具を使用することで、簡易にドアクローザーを固定することが出来、従来の補助鍵の欠点を解消した防犯効果が期待できる。
【図面の簡単な説明】
【０００７】
【図１】本発明の概要図である。
【図２】本発明のドアクローザーへの装着図である。
【発明を実施するための形態】
【０００８】以下、本発明を実施するための形態について説明する。
本発明の器具（２）には、輪部（ａ）、持ち手となる棒部（ｂ）、フック（ｃ）を設ける。
輪部（ａ）の内側にはシリコン等柔軟性のある素材（ａ−１）を貼り付けても良い。
本発明の器具は以上のような構造である。
ドアが閉まっている状態のドアクローザー屈曲部に器具（２）の棒部（ｂ）を持って輪部（ａ）を取り付けることで設置する。
フック（ｃ）は本発明の器具（２）を使用しないときにドア周辺（又はドア）に掛けて保管する際に使用する。
【符号の説明】
【０００９】（１）ドアクローザー
（２）本発明の器具
（ａ）輪部
（ｂ）棒部
（ｃ）フック
（ａ）−１  柔軟性のある素材
【図１】
2014173420.tif 000003
【図２】
2014173420.tif 000004
(57)【要約】      （修正有）【課題】豪雪地帯の家屋の屋根及び道路等の除雪を一般家庭で使用する化石燃料ストーブの熱を利用し蒸気を発生させ並列させる蒸気熱と水圧管の温水で融雪させる装置を提供する。【解決手段】一般家庭で使用している化石燃料ストーブである暖房装置上に設けた蒸気発生装置４で蒸気発生させ、蒸気圧力容器３で高圧高温にさせ、蒸気送管５を通し屋根２に配列した蒸気送管５を高温にし、高温の蒸気送管は並列する水圧管を温水にし水吐出口から噴水する事で屋根２上の融雪を可能にする。【選択図】図１
2014173416.tif 000002
【特許請求の範囲】
【請求項１】
灯油、木炭等多種の燃料を利用した暖房装置上に設けた蒸気発生装置とその装置に圧送するポンプと温水槽でなり、蒸気発生装置から噴出する蒸気を一旦蒸気圧力容器に圧入し圧力を高め、温水槽を通し温水槽の温度をあげ蒸気送管を通し融雪目的の屋根にその蒸気送管を配列した管に蒸気を圧送する。又、蒸気送管と並列した水圧管を巻く断熱で覆い水圧管内の水温を高め、水吐出口から出水させ融雪させる、蒸気熱と水を使用した融雪装置。
【請求項２】
蒸気圧力容器内の圧力で高温にした蒸気圧は蒸気送管を通り温水槽の水温を高め、その沸騰寸前の温水が蒸気発生装置を通る事で、少量の熱エネルギーで蒸気を発生させる。
請求項１に記載の蒸気熱と水を使用した融雪装置。
【請求項３】
屋根に配列した、蒸気送管と水圧管を覆う断熱材が常に供給する温水で融雪を促す。
請求項１に記載の蒸気熱と水を使用した融雪装置。
【発明の詳細な説明】
【技術分野】
【０００１】本発明は、蒸気熱と水を使用した融雪装置で屋根、道路等に必要とする場所に設置可能な融雪出きる装置に関する。
【背景技術】
【０００２】従来、屋根及び道路の除雪作業は人の手で行ってきたが最近の異常な豪雪は人間の手には負えない状況にある事は一般的に知られている。
【発明の開示】
【発明が解決しようとする課題】
【０００３】しかしながら、除雪を休む事は死を意味することになる。益々の高齢化と孤立化ボランティア等人手が必要となる。最近の情報では家屋の倒壊もみうけられるようになってきた。他人頼りは無理と考える。
本発明は、通常の化石燃料を使用したストーブを利用しその熱で蒸気を発生させ、圧力容器で高圧高温にし、噴水管と蒸気熱管と並列に配列しその温水で融雪する装置を提供する。
【課題を解決するための手段及び効果】
【０００４】本発明の蒸気熱と水を使用した融雪装置は、通常の化石燃料ストーブを利用し、ストーブの上部に設けた蒸気発生装置で蒸気を発生させ噴出する蒸気を圧力タンクに入れ蒸気圧力と温度を高め、屋根及び道路等に配列した蒸気送管に送るもので、その高温は並列した水圧管の水温を維持し安定した融雪水を供給するものである。又蒸気圧力容器から噴出される噴射力は発電も可能で融雪と同時に電気も提供出来る。
【発明を実施するための最良の形態】
【０００５】図１は本発明の最良の形態による蒸気発生と蒸気圧力と温水槽の手順、融雪管配列側面図及び平面図。図２は通常の化石燃料ストーブの火災とその上部に設けた蒸気発生装置の側面図を示し、図３は屋根に設置する蒸気送管と水圧管の配列平面図を示す。【０００６】本発明の蒸気熱と水を使用した融雪装置は、通常の化石燃料ストーブ熱を利用した蒸気発生装置４と蒸気圧力容器３によって蒸気送管の熱を保つ。【０００７】通常の化石燃料ストーブである暖房装置１３の上部に設けた蒸気発生装置４が熱せられ、温水が気化しその蒸気が蒸気圧力容器３に圧入される。【０００８】蒸気圧力容器の蒸気は高圧高温になり、蒸気送管５を通し温水槽７の水温を沸騰寸前までする。【０００９】高温になった温水槽７の湯はポンプ９によって温水送管１０を通し蒸気発生装置４に圧入され、蒸気を発生し易くする。【００１０】蒸気送管５の蒸気は高温を維持しながら並列に配列された水圧管２０とともに断熱シート２２で覆われ温水が屋根２上に供給され融雪が可能となる。
【産業上の利用可能性】
【００１１】木炭等を燃料として使用した場合屋外に燃焼窯があれば充分でその場合発電も可能となる。
【図面の簡単な説明】
【００１２】
【図１】  融雪管配列側面図及び平面図    （最良の形態）
【図２】  蒸気発生装置側面図    （最良の形態）
【図３】  蒸気送管と水圧管の配列平面図    （最良の形態）
【符号の説明】
【００１３】１．家屋    ２．屋根    ３．蒸気圧力容器    ４．蒸気発生装置
５．蒸気送管    ６．蒸気戻管    ７．温水槽    ８．温水加熱装置
９．ポンプ    １０．温水送管    １１．断熱材    １２．燃料タンク
１３．暖房装置    １４．煙室    １５．火炎    １６．操作盤    １７．燃料送管
１８．水圧ポンプ    １９．排水口    ２０．水圧管    ２１．水吐出口
２２．断熱シート
【図１】
2014173416.tif 000003
【図２】
2014173416.tif 000004
【図３】
2014173416.tif 000005
(57)【要約】      （修正有）【課題】形状変化により、繊細な表現、大胆な量感、良好な風合い、絵画的な立体感、遠近感等をもつ、美的で品格のある紋織物を提供する。【解決手段】平織系、斜文系および繻子系の異系列織組織群５をそれぞれの階層数６及び階層序列に任意に構成し、デザインに応じ紋様面の混在配置した織物表面形状変化をもつ絵画織異組織系階層混在多重織物。ジャカード機搭載織機で製織するための意匠図情報の織物データ変換工程は、意匠図情報作成、意匠図情報の織物情報への変換、織方指図案内作成等の意匠図情報の織物諸情報及び織方案内情報作成、ジャカード機情報の製作等の製造工程システムをもつ異組織系階層混在多層構造の紋織物。【選択図】図４
2014173219.tif 000002
【特許請求の範囲】
【請求項１】
本発明は、平織系、斜文系および繻子系の異系列織組織群から、織物全面に意匠図に対応した、それぞれの階層数及び階層序列の集団で構成する表面形状変化の紋織物が、新規開発の絵画織異組織系階層混在多重織である。
【請求項２】
絵画織異組織系階層混在多重織は、紋織物制作設計において平織系、斜文系および繻子系の異系列織組織群の各階層組織群を意匠図情報により意図的に混在させた多重織物である。この製作工程システムは、意匠図情報作成、意匠図情報から織組織情報への変換、織方指図及び織案内の作成、紋紙作成又は情報メモリ作成等である。
意匠図情報から階層織物の織組織情報及び織方案内情報へ変換する絵画織異組織系階層混在多重織の技術技法が特許請求の範囲である。
【発明の詳細な説明】
【技術分野】
【０００１】  異系列織組織群をそれぞれの階層数と序列を構成し、デザインに応じた階層織物表面形状変化をもつ絵画織異組織系階層混在織は、ジャカード機搭載多緯糸選択織機を使用する紋織物である。紋織物設計において平織系、斜文系および繻子系の異系列織組織群の階層が混在する多重織物を、意匠図情報作成、意匠図情報から織物情報へ変換、及び織方指図案内作成、ジャカード機入力情報作成等を新規に開発した異組織系階層混在多重織である。
【背景技術】
【０００２】  従来の紋織物は普通ジャカード機の情報処理機能数が小さいために、「糸把吊りの複数釜方式」か「模様一括開口、複数把吊り、１釜前機組織開口方式」によるために、異組織階層混在緯多重織は不可能であった。
本発明は大口ジャカード機を使用し、私の発明した「絵画織」の技術技法による，「織組織による模様開口の技術」による異組織系階層混在多重織である。
【先行技術文献】
【特許文献】
【０００３】
【特許技術１】
特許証        特許  第１９４０１５６号
発明の名称    絵画織
発明者        新井  實
【発明の概況】
【発明が解決しようとする課題】
【０００４】  ジャカード機開口を異織組織混在開口ができる機仕掛けをつくり。異組織系列群から整合性のある織組織群を選び階層をつくる階層織、意匠に応じた多段階層構造群を配列して、段数数と序列を任意に増減させ、また緯糸の階層位置を自由に入れ替えることで、織物の表裏に柄模様を織り出す、また中間階層の緯糸は品質、風合いを決める役割をもせる構造である、これらが課題を解決する技術技法である。
【問題を解決するための手段】
【０００５】織組織の原点を定め、異織物系列の基本組織を決め、その基本組織に整合性を持つ異織組織毎の階層数及び序列を構成する、これが織物表面変化を階層群の変化で解決した。、織裏製織法の場合は開口組織点の多いものが、実際の織物の表面に位置する、少ない開口組織点は実際の織物の裏面をつくる。それぞれの組織および開口組織点の量により多重織物の階層数及び序列の構造が決まり、織物の表裏面が決定され、意図したデザインの表現を可能にした紋織物である。
【発明の効果】
【０００６】  従来の紋織物は平織系、斜文系及び繻子系のうち、ひとつの基本組織系列だけで織られいるから大きな変化の織物表面は難しい。
本発明は平織系、斜文系及び繻子系が混在した多層組織群で構成され、階層数及び階層序列の変化による織物の表面形状は、変化に富んだ革新的な織物である。
平織系の堅牢な特性、斜文系の柔軟な風合いと文様表現の特性及び繻子系の平滑で光沢に富みまた優れた模様表現の特性がある。
本発明の絵画織異組織系階層混在織物はそれぞれの織組織系列の持つ特性を、一つの織物に混在させた新感覚の織物である。
具体的には革新的な新規美術織物の登場であり、生活空間の環境を豊かにするものである。
の
【図面の簡単な説明】
【０００７】
【図１】平織系の組織図
【図２】斜文系系の組織図
【図３】平織系の組織図
【図４】織方図
【図５】階層組織図の序列表
【図６】階層図と緯糸
【符号の説明】
【０００８】い  組織図番号
ろ  組織図
▲１▼  メートル
▲２▼  組織番号
▲３▼  緯糸番号
▲４▼  意匠紙色番号
▲５▼  組織系
▲６▼  階層数
▲７▼  織物の構造
▲８▼  表裏の階層
▲９▼  意匠紙色濃度
▲１０▼  平織系
▲１１▼  斜支系
▲１２▼  繻子系
▲１３▼  開口量の軽重
▲イ▼  表５階層  ウラ１階層
▲ロ▼  表４階層  ウラ１階層
▲ハ▼  表３階層  ウラ２階層
▲ニ▼  表２階層  ウラ３階層
▲ホ▼  表２階層  ウラ４階層
▲ヘ▼  表１階層  ウラ５階層
▲ト▼  階層
▲チ▼  緯糸  （ア）（イ）（ウ）（エ）（オ）（カ）（キ）
【図１】
2014173219.tif 000003
【図２】
2014173219.tif 000004
【図３】
2014173219.tif 000005
【図４】
2014173219.tif 000006
【図５】
2014173219.tif 000007
【図６】
2014173219.tif 000008
(57)【要約】【課題】この発明は、重力の影響を受けない多機筒の自動車用のエンジンで馬力と燃費の向上をはかることを提供する。【解決手段】多機筒の自動車用のエンジンで、クランクシャフト（１）の運動機能において、クランクシャフト（１）を縦置きとした。【選択図】図１
2014173592.tif 000002
【特許請求の範囲】
【請求項１】
多機筒の自動車用のエンジンで、クランクシャフト（１）の運動機能において、クランクシャフト（１）を縦置きとしたことを特徴とする、重力の影響を受けない多機筒の自動車用のエンジン。
【発明の詳細な説明】
【技術分野】
【０００１】この発明は、重力の影響を受けない多機筒の自動車用のエンジンで馬力と燃費の向上をはかることに関するものである。
【背景技術】
【０００２】  従来、自動車用のエンジンにおいて、クランクの運動機能は、回転運動であるものの上下運動を伴っているので、重力の影響を受けて馬力と燃費の損失は免れない。
そして自動車用のエンジンは、並列の多機筒や直列の多機筒、または傾斜を伴った多機筒、そして水平対向の多機筒などがあるが、いずれもクランクの回転運動は上下運動を伴っている。
【発明の開示】
【発明が解決しようとする課題】
【０００３】  エンジンにおけるクランクシャフトの回転運動から、上下運動を伴わず、重力の影響をほとんど受けないことで、回転ロスを減らして馬力と燃費の向上を図ること。
【課題を解決するための手段】
【０００４】  本発明は上記課題を解決する為のもので、
多機筒の自動車用のエンジンで、クランクシャフト（１）の運動機能において、クランクシャフト（１）を縦置きとした。
【発明の効果】
【０００５】    本発明により、エンジンにおけるクランクシャフトの回転運動から、上下運動を伴わず、重力の影響をほとんど受けないことで、回転ロスを減らして馬力と燃費の向上が約３０パーセントできた。
【発明を実施するための最良の形態】
【０００６】  構造を図１、図２に示すように、
多機筒の自動車用のエンジンで、クランクシャフト（１）の運動機能において、クランクシャフト（１）を縦置きとした。
【実施例１】
【０００７】  従来からクランクシャフト（１）の運動機能は、回転運動であるものの上下運動を伴っているので、重力の影響を受けて馬力と燃費の損失は免れない。
そして自動車用のエンジンは、並列の多機筒エンジンや直列の多機筒エンジン、または傾斜を伴った多機筒エンジン、その他Ｖ型エンジン、そして水平対向の多機筒エンジンなどがあるが、いずれもクランクシャフト（１）の回転運動は上下運動を伴っている。
クランクシャフト（１）の運動機能は、回転運動であるものの上下運動を伴っているので、重力の影響を受けて馬力と燃費の損失は免れない。
そこで本発明では、クランクシャフト（１）の運動機能で、クランクシャフト（１）を縦置きとした多機筒の自動車用のエンジンとしたためエンジンにおけるクランクシャフト（１）の回転運動から、上下運動を伴わず、重力の影響をほとんど受けないことで、回転ロスを減らして約３０パーセントの馬力と燃費の向上の効果がある。【０００８】  本発明により、馬力アップと、大幅な消費削減ができた。
【図面の簡単な説明】
【０００９】
【図１】  本発明の正面図
【図２】  本発明の平面図
【符号の説明】
【００１０】  １クランクシャフト、２ピストン、３コンロット
【図１】
2014173592.tif 000003
【図２】
2014173592.tif 000004
(57)【要約】      （修正有）【課題】人体に対する送風機の効率を向上させるために、送風を変向させるよう工夫した送風変向板を提供する。【解決手段】送風変向板の姿勢を保持するための台（７）に送風変向板は背面版（３）を中心に上部傾斜板（１）、下部傾斜板（２）、側面板Ａ（４）、側面板Ｂ（５）、および、側面板Ｃ（６）を設け、送風変向板の姿勢を保持するための台（７）に支持ワイヤ（８）を設ける。【選択図】図１
2014173834.tif 000002
【特許請求の範囲】
【請求項１】
送風変向板の姿勢を保持するための台（７）に送風変向板は背面版（３）を中心に上部傾斜板（１）、下部傾斜板（２）、側面板Ａ（４）、側面板Ｂ（５）、および、側面板Ｃ（６）を設け、送風変向板の姿勢を保持するための台（７）に支持ワイヤ（８）を設けたことを特徴とする送風変向板。
【発明の詳細な説明】
【技術分野】
【０００１】  本発明は、人体に対する送風機の効率を向上させるために、送風を変向させるよう工夫した送風変向板に関するものである。
【背景技術】
【０００２】  扇風機など送風機の作り出す空気流で風裏を効果的に冷却するため、空気流の変向をさせる形状を有する板。
【発明の概要】
【発明が解決しようとする課題】
【０００３】    送風機による人体の冷却は、送風機の風向に直面する部分（正面とよぶ）のみ効果的な冷却が可能であった。
特に送風機への正面の裏側（背面とよぶ）に対して効果的な冷却を同時に行うことができなかった。
【課題を解決するための手段】
【０００４】  送風変向板の姿勢を保持するための台（７）に送風変向板は背面版（３）を中心に上部傾斜板（１）、下部傾斜板（２）、側面板Ａ（４）、側面板Ｂ（５）、および、側面板Ｃ（６）を設け、送風変向板の姿勢を保持するための台（７）に支持ワイヤ（８）を設ける。
以上のように構成された送風変向板。
【発明の効果】
【０００５】  本発明の板により人体を通過する送風機の空気流を背後から人体背面に当てることができ、正面の冷却と同時に背面の冷却を行うことができる
本発明は送風機により冷却する人体の背後に板を設け、この板により直面する風向を背面方向へ変向できる。
本送風変向板は直面する空気流を側面に逃さないための板内面へのカーブを有する側面板を持つ。
板が直面する空気流によって姿勢を崩さないよう支持するための台、および、支持機構を有する。
【図面の簡単な説明】
【０００６】
【図１】  本発明の正面図である。
【図２】  本発明の使用状態を示した側面図である。
【発明を実施するための形態】
【０００７】  以下、本発明の実施の形態を説明する。
送風変向板の姿勢を保持するための台（７）に送風変向板は背面版（３）を中心に上部傾斜板（１）、下部傾斜板（２）、側面板Ａ（４）、側面板Ｂ（５）、および、側面板Ｃ（６）を設け、送風変向板の姿勢を保持するための台（７）に支持ワイヤ（８）を設ける。
以上のように構成された送風変向板。
本発明を使用するときは、送風機に対して直面するように送風変向板を設置させる。
送風機と送風変向板の間に人体を入れる。
送風機による送風が送風変向板により変向させられ、人体の裏側を冷却する。
送風変向板の姿勢を維持するための機構として、板後方に支持構造を持つ場合や固定された台より板全体を吊り下げて支持する構造にもできる。
【符号の説明】
【０００８】１  上部傾斜版
２  下部傾斜板
３  背面板
４  側面板Ａ
５  側面板Ｂ
６  側面板Ｃ
７  台
８  支持ワイヤ
【図１】
2014173834.tif 000003
【図２】
2014173834.tif 000004
(57)【要約】【課題】    石鹸は数百年以来、日用品として使用されてきており、様々な機能性を持つ石鹸が市場に出回ってきている。これまでの固形石鹸は、種々な意匠を凝らした石鹸が販売されているが、既にこれらの意匠は陳腐化しており、独創性や変化に乏しい石鹸は消費者の購買意欲を低下させる。【解決手段】    付加価値を高めるために、弱酸性半透明の石鹸の内部に新鮮な生花を埋め込むことができる斬新な石鹸を提供する。【選択図】図１
2014173044.tif 000002
【特許請求の範囲】
【請求項１】
新鮮な生花を装飾用として、半透明弱酸性の固形石鹸本体の内部に埋め込むことを特徴とする花いり石鹸。
【請求項２】
前記生花の部分として、白いコチョウランが用いられることを特徴とする請求項1記載の花入り石鹸。
【発明の詳細な説明】
【技術分野】
【０００１】
本発明は、固形石鹸に新鮮な生花を石鹸に埋め込むことに関する。
【背景技術】
【０００２】
石鹸は数百年以来、日用品として使用されてきており、様々な機能性を持つ石鹸が多く、形状を花や動物などにしたり、表面に絵を描いたりした石鹸が、百貨店などで販売されている。
【０００３】
中には、固形石鹸本体の表面又は内部に、押し花などを装飾として付加している。該押し花付き石鹸に使う乾燥した花を石鹸内部に埋着しているという「押し花付き石鹸」がある。（特許文献1参照）。
【０００４】
その上、透明石鹸または半透明石鹸内部に乾燥した立体植物を装飾用として埋着しているという「装飾用アート石鹸」もあるが、上記のごとき問題に、これら植物は乾燥させて作られるもので、そうすると、植物の持つ活き活きとした自然さを失う上、植物に含まれている植物由来の美肌成分もなくなり、花入り石鹸としての意味がなくなる。（特許文献2参照）。
【先行技術文献】
【特許文献】
【０００５】
【特許文献１】実用新案登録第3064487号
【特許文献２】特開2002-294296
【発明の概要】
【発明が解決しようとする課題】
【０００６】
これまでの固形石鹸は、付加価値を高めるため、奇抜な形状をした石鹸や、鮮やかな絵柄が描かれた石鹸があり、種々な意匠を凝らした石鹸が販売されているが、既にこれらの意匠は陳腐化しており、新鮮な生花を入れた石鹸は未だ無く、独創性や変化に乏しい石鹸は消費者の購買意欲を低下させる。
【課題を解決するための手段】
【０００７】
本発明はこれらの欠点を解消するもので、新鮮な生花を装飾用として、半透明弱酸性の固形石鹸本体の内部に埋め込むことを特徴とする花いり石鹸。
【０００８】
上述の態様に係る花入り石鹸において、生花の部分として、白いコチョウランが用いられることにより、中のアントシアニンとフラボノイドといった抗酸化物質が徐々に石鹸に浸透することで、使い続けることにより、美肌効果が出てくる。
【発明の効果】
【０００９】
以上のとおり、本発明に係る花入り石鹸によれば、生花を用いるようにしたため、既に市販の石鹸と比べると、新鮮な生花を使用する石鹸は美的に良く、独創性や変化に富み、さらに付加価値を高める石鹸が求められているようにしたため、消費者の購買意欲を高めることにしたものである。
【００１０】
本発明では、生花を用い、しかもこれを弱酸性の石鹸で包む構成にしたので、時間が経つと、経時変化により、生花が徐々に溶け始め、石鹸のなかに生花の成分が広がるので、肌に良好な効果を発揮できる。
【図面の簡単な説明】
【００１１】
【図１】本発明の基本的な実施形態に係る花入り石鹸の完成型を示す立体図である。
【図２】本発明の基本的な実施形態に係る花入り石鹸の製造過程を示す途中の立体図である。
【図３】本発明の基本的な実施形態に係る花入り石鹸の製造過程を示す最終の立体図である。
【発明を実施するための形態】
【００１２】
以下、本発明を図示する実施形態に基づいて説明する。
図1〜図3上述の第１の態様に係る花入り石鹸(10)を示す図であり、図1はその花いり固形石鹸(10)本体である。石鹸本体(30)に示すように、弱酸性半透明石鹸本体(30)内部に新鮮な生花(35)を設置し、石鹸本体(30)に包み込まれることにより、生花(35)が石鹸本体(30)と一体化した状態にするようにしたものである。
【００１３】
その中、花入り石鹸(10)において石鹸本体(30)の部分は、多種多様な形が選択でき、方形立体型、梯形立体型（台型）、三角立体型、多角立体型、円形立体型、楕円形立体型、ハート形立体型、星形立体型、幾何形立体型、不規則形立体型といったことを特徴とする花いり石鹸(10)で、菱形を基本型とし、生花(35)の部分は、広く一般植物の花を対象ページ(3)とする花いり石鹸である。
【００１４】
図2に示すように、この花入り石鹸(10)の製造過程は、まず、希望する石鹸本体(30)
の形状をした金型(40)を選択した後、金型(40)の中に第一層の液体石鹸(20)を流し込んでから、新鮮な生花(35)を第一層の液体石鹸(20)のある金型(40)の底部に入れる。
【００１５】
図3に示すように、第一層の液体石鹸(20)及び生花(35)が置いてある金型(40)に、生花(35)の花びらの形が崩れないように丁寧に花びらを整えて固定しながら、第二層の液体石鹸(20)を流し込む。この生花(35)を第一層及び第二層の液体石鹸(20)に浸すことにより、液体石鹸(20)に完全に包み込まれる。最後、この液体石鹸(20)を固化させ、石鹸本体(30)の形が形成されれば、石鹸本体(30)及び中に包み込まれている生花(35)を金型(40)から取り出すと、この花入り石鹸(10)は完成された。
【００１６】
また、図2に示す本発明の花入り石鹸(10)の生花(35)は多種類の花を使用することにより、常にデザインの変化を追求する消費者のニーズに符合する。極めて斬新な付加価値をアピールすることができる。特に、活き活きとした自然の生花が観賞用としてあしらわれることになる。
【００１７】
このように、本考案発明の花入り石鹸(10)の生花(35)で、特に白いコチョウランが用いられることにより、中にアントシアニンとフラボノイドといった抗酸化物質が徐々に石鹸本体(30)に浸透することで、使い続けることにより、美肌効果が出てくるため、一般の固形石鹸と違い、活性化された花入り石鹸(10)は、とても付加価値が高くなるため、意匠が陳腐化し、独創性や変化に乏しい一般の石鹸との差別をつけ、消費者の購買意欲を高めることにしたものである。
【００１８】
以上、本発明に係る花入り石鹸(10)を、基本的な実施形態に基づいて説明したが、本考案はこれらの実施形態に限定されるものではなく、この他にも種々の形態で実施可能で
ある。
【符号の説明】
【００１９】
１０…花入り石鹸
２０…液体石鹸
３０…石鹸本体
３５…生花
４０…石鹸本体の形状をした金型
【図１】
2014173044.tif 000003
【図２】
2014173044.tif 000004
【図３】
2014173044.tif 000005
(57)【要約】      （修正有）【課題】強固な銑鉄鋳物を製造する際に、添加剤として用いられるレアアースは輸入が安定しないため、それに替わる添加剤を用いた製造方法を提供する。【解決手段】ステンレス丸棒の中に含まれる微量のニッケル及びクロームを微妙な方法で混入させる方法であり、ステンレス丸棒を施盤加工した時に発生するクズ即ちダライ粉を使用する。そのダライ粉を、むすびを作る要領で丸めて１００ｇ、２００ｇと数種類作っておき、必要に応じて「キューポラ」から鋳物を１０ｋｇ用柄杓に取り出すとき、柄杓の底に沈めておいたその上から注ぐと、紫色の炎をあげながら熔けて混入する。追加する燃料コークスも不要で経済的である。【選択図】なし【特許請求の範囲】
【請求項１】
〔より強固な銑鉄鋳物〕を造るために、キューポラから出した湯に、微量のクローム及びニッケルを成分として加える。
【発明の詳細な説明】
【技術分野】
【０００１】  この発明は、より強固な銑鉄鋳物を造ることである。
【背景技術】
【０００２】  従来の鋳物では固さが不充分であった。
〔レアアース〕鉱石を利用する方法があったのであるが、日本国内で産出せず、すべて輸入に頼っており、その量が莫大で、鋳物以外にも利用されて１４００万トン以上となっていた。それ故に、輸出国の事情により、かけ引きの道具にされたり、輸出の数量を減らされたり、輸出手続きを遅らせたり、輸出を禁止したりしている。それでは輸入国日本の長期的生産計画が成り立たない。
【先行技術文献】
【０００３】  この発明がなされた頃は〔レアアース〕利用の話は聞いたことが無かった。
【発明の概要】
【発明が解決しようとする課題】
【０００４】  従来の通常の銑鉄鋳物〔ＦＣ１５〕程度のものではなく、ある物を加える事によって数段に強固な鋳物を造ることが出来るとされている。
そのある物とは〔レアアース〕（希土類）といって、ほとんどが輸入品である。
そのレアアースが、輸出国の事情または思惑により勝手にその数量が減らされたり、輸出禁止の手段が取られ、生産が出来なくなる事が間々ある。そのような事では産業界は成り立たない。
【課題を解決するための手段】
【０００５】  微量のニッケル及びクロームを加える事である。
【発明の効果】
【０００６】  〔レアーアース〕鉱石を利用する時の様に多量のコークス燃料を消費せず、少量で強固な鋳物が小さな町工場でも造る事が可能になった事である。
【課題を実施するための形態】
【０００７】  微量のニッケル及びクロームを加える作業が微妙である。余りの微量ゆえにその作業もまた微妙である。
ニッケル及びクロームと云う成分は、ステンレス丸棒の中に含まれるニッケル及びクロームを利用するため、偶然見つけたのが、丸棒を施盤加工して生ずる削りかす即ちダライ粉と称する「くず」である。これを１００ｇ、２００ｇと分けて、両手のひらでむすびを作る要領で丸めておく。キューポラから出る真っ赤な熔けたものを前もって柄杓の底に必要に応じて沈めておいたダライ粉の上から注ぐ。すると瞬時にして紫色の炎をあげ、熔けて交じり合う。これを鋳型に注ぐ。すると強固な鋳物が出来上がる。
この製法は私、武内守之が昭和３０年頃、宮崎県延岡市近辺に居住していた頃、旭化成株式会社、薬品部に勤務する学友に依頼された１台１組約３０ｋｇの鋳物製３方コックで、直径４インチの厚手の鋼管で以て、薬液をタンクから４ｋｇ／ｃｍ２の力で圧送する作業をコントロール出来るようにして欲しいと細かい指示があった。
その３方コックの設計から製作までが大変で、コックの厚みを変えるだけでは駄目で、材質を変える以外方法はないと考え、偶然手元にあったステンレス丸棒のダライ粉を加えてみて、固さを調べると非常に強固であると思われた。
そのステンレス丸棒のダライ粉を加える方法を考えて、３方コックを製図した通りに製造して圧力検査したところ、見事に合格した。
〔レアアース〕を用いてより強固な鋳物を造るという学術的根拠に基づいた資料もなく、また製作段階に於ける数量的配合数量の記録さえ手元になく、参考にする資料すらなく、町工場にては記録を残す程度の数字は残せなかった事が非常に惜しかったことである。
その後昭和３２年広島に帰り、三菱重工業株式会社三原製作所、及び観音工場、江波工場の発注する事業を担当する様になり多忙を極め、強固な鋳物造りのことはすっかり忘れていた。最近になり〔レアアース〕問題が新聞記事で問題提起され始め、昭和３０年頃偶然実行した強固な鋳物を造る方法を思い出した。
これを以て、発表してもよいと判断した事である。ただ残念な事は成分に対する学術的な根拠と数量による段階的な明記のないことである。
(57)【要約】【課題】  野菜や草花を育て終わったり、枯れたりした後に、庭、畑、花壇及びプランターや鉢に残った根を取り除く際に、手で取り除く場合は手や手袋が土で汚れたり、きれいに取り除くことは不可能であった。ふるいなどを使って土から取り除く場合も、ふるいの網目が小さくて、土がつまったり、根が絡み付いてしまい、時間がかかる。また、ふるいは重く、プランターから土がこぼれたりして、慣れない人には簡単には根を取り除くことは困難であった。  本発明は、土の中に残った根を簡単にきれいに汚れずに取り除くための根取りスコップを提供する。【解決手段】  スコップの受け皿部分に縦横に複数の穴を並べて開け、穴と穴の間の枠を設けたことを特徴とする根取りスコップ。  穴と穴の間の枠にノッチをつけて、根がひっかかりやすい形としたことを特徴とする根取りスコップ。【選択図】図１
2014173311.tif 000002
【特許請求の範囲】
【請求項１】
スコップの受け皿部に縦横に複数の穴を開け、穴と穴の間に枠を設けた根取りスコップ。
【請求項２】
受け皿部に縦横に複数の穴を開けて、穴と穴の間に設けた枠にノッチを設けた請求項１の根取りスコップ。
【発明の詳細な説明】
【技術分野】
【０００１】
本発明は、庭、花壇、畑及びプランターや鉢に残った草花や野菜などの根を取り除く根取りスコップに関するものである。
【背景技術】
【０００２】
従来、野菜や草花を育て終わったり、枯れたりした後に、庭、畑、花壇及びプランターや鉢に残った根を取り除くには、手で取り除くか、ふるいなどを使って土から取り除いていた。
なお、草を取り除く道具（特許文献１参照）や、ペットのふんを砂場などから取り除くスコップが知られている（特許文献２及び３参照）。
【先行技術文献】
【特許文献】
【０００３】
【特許文献１】特開２００８−１９４０１２号公開
【特許文献２】特開２００９−２１３４５８号公開
【特許文献３】特開２０１０−２２０５９３号公開
【発明の概要】
【発明が解決しようとする課題】
【０００４】
野菜や草花を育て終わったり、枯れたりした後に、庭、畑、花壇及びプランターや鉢に残った根を取り除く際に、手で取り除く場合は手や手袋が土で汚れたり、きれいに取り除くことは不可能であった。ふるいなどを使って土から取り除く場合も、ふるいの網目が小さくて、土がつまったり、根が絡み付いてしまい、時間がかかる。また、ふるいは重く、プランターから土がこぼれたりして、慣れない人には簡単には根を取り除くことは困難であった。
また、草取り道具では根をきれいに取り除くことはできず、ペットの糞を取り除くスコップも網目が小さくて土がつまって根と土を分けることができない。
本発明は、以上の問題点を解決するためになされたものである。
【課題を解決するための手段】
【０００５】
スコップの受け皿部分に縦横に穴を並べて開ける。穴の大きさは一辺１ｃｍ〜３ｃｍの三角形、四角形、五角形、六角形、あるいは円形の形状で開ける。穴と穴の間の枠にはノッチをつけて、根がひっかかりやすい形とする。
【発明の効果】
【０００６】
従来、土から取り除くことが困難であった根を、本発明により除去することが可能にし、簡単で楽に、かつ汚れずにきれいに作業することができる。
本発明は、庭、花壇、畑及びプランタ−や鉢の土に残った根を取り除くことができ、しかも片手で作業することができる。
【図面の簡単な説明】
【０００７】
【図１】本発明の斜視図
【図２】本発明の使用状態として土をすくった状態を示す斜視図
【図３】本発明の使用状態として土と根をふるい分けた状態の斜視図
【図４】本発明の四角形の穴を設けた場合を示す平面図
【図５】本発明の穴と穴の間の枠に、根を引っかかりやすくするためのノッチを設けた状態を示す平面図
【図６】本発明の丸形の穴を設けた場合を示す平面図
【発明を実施するための形態】
【０００８】
以下に本発明の実施の形態を説明する。
（イ） スコップ（１）の受け皿部（３）の部分に、縦横に複数の穴（４）を開け、枠（５）を設ける。
（ロ） 穴（４）の形状として、三角形、四角形、五角形、六角形を始めとする多角形あるいは円形を設ける。
（ハ） 根を取り除きやすくする場合は、枠（５）にノッチ（８）を設ける。
本発明は、以上のような構造である。
本発明を使用するときは、スコップ（１）の柄（２）を片手に持ち、根（７）が残っている土（６）をすくう。このとき、スコップ（１）をゆすって土（６）を穴（４）から下に落とす。この動作により、根（７）が枠（５）やノッチ（８）に引っ掛かり、他の手で根（７）を取り除く。
作業が片手ででき、狭いスペースでも土（６）と根（７）をふるい分けることができるので、プランターや鉢からこぼさずに作業ができる。
【符号の説明】
【０００９】
１ スコップ、２ 柄、３ 受け皿部、４ 穴、５ 枠、６ 土、７ 根、８ ノッチ
【図１】
2014173311.tif 000003
【図２】
2014173311.tif 000004
【図３】
2014173311.tif 000005
【図４】
2014173311.tif 000006
【図５】
2014173311.tif 000007
【図６】
2014173311.tif 000008